(57)【要約】      （修正有）【課題】上位地域電力管理装置と下位地域電力管理装置の、需給調整を適切に行う。【解決手段】各需要家電力管理装置４１、４２は、下位ＣＥＭＳ（Ｃｏｍｍｕｎｉｔｙ  Ｅｎｅｒｇｙ  Ｍａｎａｇｅｍｅｎｔ  Ｓｙｓｔｅｍ）７１、７２に対して需給予測結果を送信する。下位ＣＥＭＳ７１、７２は、需要家群３１、３２の需給予測演算を行い、その需給予測結果と需要家情報を上位ＣＥＭＳ９０に送信する。需要家情報には、需要家種別ごとの件数を表す情報が含まれている。上位ＣＥＭＳ９０は、需要家群３１、３２の需給予測に基づいて需給調整量を演算し、その需給調整量を、需要家情報に基づいた配分比で各個別需要家群に配分する。【選択図】図１
2016046922.tif 000002
【特許請求の範囲】
【請求項１】
需要家ごとに設けられ、その需要家の電力を管理する需要家電力管理装置と、
複数の前記需要家電力管理装置と送受信可能に設けられ、前記複数の需要家電力管理装置によってそれぞれ電力が管理される需要家の集合である個別需要家群の電力を管理する下位地域電力管理装置と、
複数の前記下位地域電力管理装置と送受信可能に設けられ、前記複数の下位地域電力管理装置によってそれぞれ電力が管理される前記個別需要家群の集合である全体需要家群の電力を管理する上位地域電力管理装置とを備え、前記全体需要家群の電力需給を調整する電力需給調整システムにおいて、
前記上位地域電力管理装置は、
前記全体需要家群の電力需給予測に基づいて、前記全体需要家群の電力需給を調整するための需給調整量を演算する需給調整量演算手段と、
需要家の建物の用途を表す需要家種別ごとの需要家の件数である種別毎件数を表す種別毎件数情報を、前記下位地域電力管理装置のそれぞれから受信する種別毎件数受信手段と、
前記個別需要家群ごとの前記種別毎件数に基づいて、前記需給調整量を各個別需要家群に配分する配分手段と、
前記需給調整量を各個別需要家群に配分した需給調整量配分結果を表す情報を、各個別需要家群の電力を管理する各下位地域電力管理装置に送信する需給調整結果送信手段と
を備え、
前記下位地域電力管理装置は、
前記個別需要家群の種別毎件数情報を前記上位地域電力管理装置の種別毎件数受信手段に送信する種別毎件数送信手段と、
前記上位地域電力管理装置の需給調整結果送信手段から送信された前記需給調整量配分結果を表す情報を受信して、前記需給調整量配分結果に応じた需給調整信号を前記需要家電力管理装置に送信する需給調整信号送信手段とを備えた電力需給調整システム。
【請求項２】
請求項１記載の電力需給調整システムにおいて、
前記下位地域電力管理装置は、
前記個別需要家群の電力需給に関する予測情報を前記上位地域電力管理装置に送信する個別需要家群電力需給予測情報送信手段を備え、
前記上位地域電力管理装置は、
前記下位地域電力管理装置の個別需要家群電力需給予測情報送信手段からそれぞれ送信された各個別需要家群の電力需給に関する予測情報を受信し、前記予測情報に基づいて、前記全体需要家群の電力需給を予測する全体需要家群電力需給予測手段を備えた電力需給調整システム。
【請求項３】
請求項１または２記載の電力需給調整システムにおいて、
前記配分手段は、前記個別需要家群ごとの、前記電力需給の調整に対する過去の電力需給の応答実績を加味して、前記需給調整量を各個別需要家群に配分するように構成された電力需給調整システム。
【請求項４】
請求項３記載の電力需給調整システムにおいて、
前記配分手段は、前記個別需要家群ごとの、前記需要家種別ごとの前記電力需給の調整に対する過去の電力需給の応答実績を加味して、前記需給調整量を各個別需要家群に配分するように構成された電力需給調整システム。
【請求項５】
請求項１ないし請求項４の何れか一項記載の電力需給調整システムにおいて、
前記配分手段は、前記需要家種別ごとに前記需給調整の時間帯を加味して、前記需給調整量を各個別需要家群に配分するように構成された電力需給調整システム。
【請求項６】
請求項１ないし請求項５の何れか一項記載の電力需給調整システムにおいて、
前記配分手段は、余剰電力が発生している個別需要家群と、電力不足が発生している個別需要家群とで、需給調整に係る負担が異なるように、前記需給調整量を各個別需要家群に配分するように構成された電力需給調整システム。
【請求項７】
請求項６記載の電力需給調整システムにおいて、
前記配分手段は、前記全体需要家群の電力需要を削減するための需給調整量を各個別需要家群に配分する場合であって、余剰電力が発生している個別需要家群と電力不足が発生している個別需要家群とが同時に存在する場合には、余剰電力が発生している個別需要家群の前記負担が、電力不足が発生している個別需要家群の前記負担よりも軽くなるように、前記需給調整量を各個別需要家群に配分するように構成された電力需給調整システム。
【請求項８】
需要家ごとに設けられ、その需要家の電力を管理する需要家電力管理装置と、
複数の前記需要家電力管理装置と送受信可能に設けられ、前記複数の需要家電力管理装置によってそれぞれ電力が管理される需要家の集合である個別需要家群の電力を管理する下位地域電力管理装置と、
複数の前記下位地域電力管理装置と送受信可能に設けられ、前記複数の下位地域電力管理装置によってそれぞれ電力が管理される前記個別需要家群の集合である全体需要家群の電力を管理する上位地域電力管理装置とを備え、前記全体需要家群の電力需給を調整する電力需給調整システムに設けられる上位地域電力管理装置において、
前記全体需要家群の電力需給予測に基づいて、前記全体需要家群の電力需給を調整するための需給調整量を演算する需給調整量演算手段と、
需要家の建物の用途を表す需要家種別ごとの需要家の件数である種別毎件数を表す種別毎件数情報を、前記下位地域電力管理装置のそれぞれから受信する種別毎件数受信手段と、
前記個別需要家群ごとの前記種別毎件数に基づいて、前記需給調整量を各個別需要家群に配分する配分手段と、
前記需給調整量を各個別需要家群に配分した需給調整量配分結果を表す情報を、各個別需要家群の電力を管理する各下位地域電力管理装置に送信する需給調整結果送信手段と
を備えた上位地域電力管理装置。
【請求項９】
請求項８記載の上位地域電力管理装置において、
前記下位地域電力管理装置のそれぞれから送信された各個別需要家群の電力需給に関する予測情報を受信し、前記予測情報に基づいて、前記全体需要家群の電力需給を予測する全体需要家群電力需給予測手段を備えた上位地域電力管理装置。
【請求項１０】
請求項８または９記載の上位地域電力管理装置において、
前記配分手段は、前記個別需要家群ごとの、前記電力需給の調整に対する過去の電力需給の応答実績を加味して、前記需給調整量を各個別需要家群に配分するように構成された上位地域電力管理装置。
【請求項１１】
請求項１０記載の上位地域電力管理装置において、
前記配分手段は、前記個別需要家群ごとの、前記需要家種別ごとの前記電力需給の調整に対する過去の電力需給の応答実績を加味して、前記需給調整量を各個別需要家群に配分するように構成された上位地域電力管理装置。
【請求項１２】
請求項８ないし請求項１１の何れか一項記載の上位地域電力管理装置において、
前記配分手段は、前記需要家種別ごとに前記需給調整の時間帯を加味して、前記需給調整量を各個別需要家群に配分するように構成された上位地域電力管理装置。
【請求項１３】
請求項８ないし請求項１２の何れか一項記載の上位地域電力管理装置において、
前記配分手段は、余剰電力が発生している個別需要家群と、電力不足が発生している個別需要家群とで、需給調整に係る負担が異なるように、前記需給調整量を各個別需要家群に配分するように構成された上位地域電力管理装置。
【請求項１４】
請求項１３記載の上位地域電力管理装置において、
前記配分手段は、前記全体需要家群の電力需要を低減するための需給調整量を各個別需要家群に配分する場合であって、余剰電力が発生している個別需要家群と電力不足が発生している個別需要家群とが同時に存在する場合には、余剰電力が発生している個別需要家群の前記負担が、電力不足が発生している個別需要家群の前記負担よりも軽くなるように、前記需給調整量を各個別需要家群に配分するように構成された上位地域電力管理装置。
【請求項１５】
需要家ごとに設けられ、その需要家の電力を管理する需要家電力管理装置と、
複数の前記需要家電力管理装置と送受信可能に設けられ、前記複数の需要家電力管理装置によってそれぞれ電力が管理される需要家の集合である個別需要家群の電力を管理する下位地域電力管理装置と、
複数の前記下位地域電力管理装置と送受信可能に設けられ、前記複数の下位地域電力管理装置によってそれぞれ電力が管理される前記個別需要家群の集合である全体需要家群の電力を管理する上位地域電力管理装置とを備え、前記全体需要家群の電力需給を調整する電力需給調整システムに設けられる下位地域電力管理装置において、
前記個別需要家群における、需要家の建物の用途を表す需要家種別ごとの需要家の件数である種別毎件数を表す種別毎件数情報を前記上位地域電力管理装置に送信する種別毎件数送信手段と、
前記上位地域電力管理装置から送信された需給調整量配分結果を表す情報を受信して、前記需給調整量配分結果に応じた需給調整信号を前記需要家電力管理装置に送信する需給調整信号送信手段と
を備えた下位地域電力管理装置。
【請求項１６】
請求項１５記載の下位地域電力管理装置において、
前記個別需要家群の電力需給に関する予測情報を前記上位地域電力管理装置に送信する個別需要家群電力需給予測情報送信手段を備えた下位地域電力管理装置。
【発明の詳細な説明】
【技術分野】
【０００１】
本発明は、複数の需要家の電力需給を調整する電力需給調整システムに関する。
【背景技術】
【０００２】
従来から、家庭内の電力を管理する装置であるＨＥＭＳ（Home  Energy  Management  System)が知られている。特許文献１には、複数のＨＥＭＳを管理する装置であるＣＥＭＳ（Community  Energy  Management  System）を設け、このＣＥＭＳから各ＨＥＭＳに電力削減情報を送信して、需要家群の消費電力を削減する電力管理システムが提案されている。この電力管理システムでは、電力事業者が複数のＣＥＭＳに対して電力抑制信号を送信し、各ＣＥＭＳが自身の管理下となる複数のＨＥＭＳに対して各需要家の消費電力を削減させるように電力削減情報を送信する。
【０００３】
上記特許文献１にて提案された電力管理システムにおいては、需要家の構成情報が各ＣＥＭＳから電力事業者に送信され、電力事業者は、この構成情報に基づいて各ＣＥＭＳに対して要求する電力削減量を設定する。構成情報は、ＣＥＭＳによって管理されるＨＥＭＳの数、需要家の数、需要家の住人数、ＨＥＭＳの位置、需要家の位置、需要家に設けられる分散電源が供給可能な電力量、分散電源が供給可能な予測量、需要家に設けられる負荷の消費電力量などである。
【先行技術文献】
【特許文献】
【０００４】
【特許文献１】ＷＯ２０１３−０４７１１５Ａ１
【発明の概要】
【０００５】
電力需要の傾向は、需要家種別によって大きく異なる。需要家種別は、電力管理装置が電力を管理する対象となる需要家の建物の用途を表す。電力管理装置には、需要家種別に応じた名前が付けられている。例えば、戸建住宅の電力を管理する電力管理装置はＨＥＭＳ、工場の電力を管理する電力管理装置はＦＥＭＳ（Factory  Energy  Management  System)、商用ビルや公共建物の電力を管理する電力管理装置はＢＥＭＳ（Building  Energy  Management  System)、集合住宅の電力を管理する電力管理装置はＭＥＭＳ（Mansion  Energy  Management  System)と呼ばれている。ＣＥＭＳは、こうした複数の需要家種別の電力管理装置（ＨＥＭＳ，ＦＥＭＳ，ＢＥＭＳ，ＭＥＭＳなど）と通信可能に接続される。
【０００６】
例えば、商用ビルにおいては、営業時間帯外では、もともと電力消費量が少ないため、電力削減の要求に応えられる電力量は少ない。また、戸建住宅や集合住宅では、深夜および日中においては、同様に電力消費量が少ないため、電力削減の要求に応えられる電力量が少なくなる。従って、需要家種別ごとの件数を把握することで、電力需給の調整精度を向上させることができる。
【０００７】
上記特許文献１にて提案された電力管理システムにおいては、需要家種別ごとの件数が考慮されていないため、各ＣＥＭＳで管理される需要家の電力需要の傾向を把握しにくい。従って、上記の構成情報を用いても、各ＣＥＭＳへの電力削減量の配分などの需給調整を適切に行うことが難しい。
【０００８】
本発明は、上記問題に対処するためになされたもので、需給調整を適切に行うことができるようにすることを目的とする。
【０００９】
上記目的を達成するために、本発明の特徴は、
需要家ごとに設けられ、その需要家の電力を管理する需要家電力管理装置（４１，４２）と、
複数の前記需要家電力管理装置と送受信可能に設けられ、前記複数の需要家電力管理装置によってそれぞれ電力が管理される需要家の集合である個別需要家群の電力を管理する下位地域電力管理装置（７１，７２）と、
複数の前記下位地域電力管理装置と送受信可能に設けられ、前記複数の下位地域電力管理装置によってそれぞれ電力が管理される前記個別需要家群の集合である全体需要家群の電力を管理する上位地域電力管理装置（９０）とを備え、前記全体需要家群の電力需給を調整する電力需給調整システムにおいて、
前記上位地域電力管理装置は、
前記全体需要家群の電力需給予測に基づいて、前記全体需要家群の電力需給を調整するための需給調整量を演算する需給調整量演算手段（Ｓ２２）と、
需要家の建物の用途を表す需要家種別ごとの需要家の件数である種別毎件数を表す種別毎件数情報を、前記下位地域電力管理装置のそれぞれから受信する種別毎件数受信手段（Ｓ２１）と、
前記個別需要家群ごとの前記種別毎件数に基づいて、前記需給調整量を各個別需要家群に配分する配分手段（Ｓ２３，Ｓ２４）と、
前記需給調整量を各個別需要家群に配分した需給調整量配分結果を表す情報を、各個別需要家群の電力を管理する各下位地域電力管理装置に送信する需給調整結果送信手段（Ｓ２５）とを備え、
前記下位地域電力管理装置は、
前記個別需要家群の種別毎件数情報を前記上位地域電力管理装置の種別毎件数受信手段に送信する種別毎件数送信手段（Ｓ２０）と、
前記上位地域電力管理装置の需給調整結果送信手段から送信された前記需給調整量配分結果を表す情報を受信して、前記需給調整量配分結果に応じた需給調整信号を前記需要家電力管理装置に送信する需給調整信号送信手段（Ｓ２６，Ｓ２７）とを備えたことにある。
【００１０】
本発明の電力需給調整システムは、需要家電力管理装置と、下位地域電力管理装置と、上位地域電力管理装置とを備えている。需要家電力管理装置は、需要家ごとに設けられ、その需要家の電力を管理する。電力の管理とは、少なくとも需要家内で消費される消費電力量の管理を含む。例えば、需要家電力管理装置は、需要家内の消費電力量をリアルタイムで表示したり、消費電力量に応じて需要家内の電気負荷を制御して消費電力量を調整したりする。更に、需要家電力管理装置は、需要家に設けた発電装置、蓄電装置の作動を制御したり、発電した電力を配電網を介して外部へ供給する供給電力量を管理したりする機能を備えていてもよい。
【００１１】
下位地域電力管理装置は、複数の需要家電力管理装置と送受信することにより、それらの需要家電力管理装置によって管理される需要家群の電力を管理する。この需要家群を個別需要家群と呼ぶ。上位地域電力管理装置は、複数の下位地域電力管理装置と送受信することにより、それらの下位地域電力管理装置によって管理される複数の個別需要家群の電力を管理する。この複数の個別需要家群をまとめて全体需要家群と呼ぶ。従って、階層化された通信ネットワークによって全体需要家群に含まれる需要家の電力を管理することができる。
【００１２】
この電力需給システムにおいては、上位地域電力管理装置が、需給調整量演算手段と種別毎件数受信手段と配分手段と需給調整結果送信手段とを備えており、下位地域電力管理装置が、種別毎件数送信手段と需給調整信号送信手段とを備えている。
【００１３】
需給調整量演算手段は、全体需要家群の電力需給予測に基づいて、全体需要家群の電力需給を調整するための需給調整量を演算する。全体需要家群の電力需給予測は、例えば、各個別需要家群の電力需給に関する予測情報を下位地域電力管理装置から収集することにより取得するようにしてもよい。
【００１４】
この場合、下位地域電力管理装置は、個別需要家群の電力需給に関する予測情報を上位地域電力管理装置に送信する個別需要家群電力需給予測情報送信手段（Ｓ２０）を備えているとよい。また、上位地域電力管理装置は、下位地域電力管理装置の個別需要家群電力需給予測情報送信手段からそれぞれ送信された各個別需要家群の電力需給に関する予測情報を受信し、その予測情報に基づいて、全体需要家群の電力需給を予測する全体需要家群電力需給予測手段（Ｓ２１）を備えているとよい。
【００１５】
この需給調整量は、各個別需要家群に配分される。需要家の電力需要特性、例えば、消費電力量の一日の推移傾向は、需要家種別によって大きく異なる。従って、需給調整量を各個別需要家群に配分するに際しては、各個別需要家群における需要家種別ごとの件数を考慮するとよい。そこで、下位地域電力管理装置においては、種別毎件数送信手段が、需要家種別ごとの需要家の件数である種別毎件数を表す種別毎件数情報を上位地域電力管理装置に送信する。上位地域電力管理装置においては、種別毎件数受信手段が、種別毎件数送信手段のそれぞれから送信された種別毎件数情報を受信する。
【００１６】
配分手段は、個別需要家群ごとの種別毎件数に基づいて、需給調整量を各個別需要家群に配分する。従って、例えば、各個別需要家群毎の電力需要特性を加味して需給調整量を配分することができる。
【００１７】
需給調整結果送信手段は、需給調整量を各個別需要家群に配分した需給調整量配分結果を表す情報を、各個別需要家群の電力を管理する各下位地域電力管理装置に送信する。下位地域電力管理装置においては、需給調整信号送信手段が、需給調整量配分結果を表す情報を受信して、需給調整量配分結果に応じた需給調整信号を需要家電力管理装置に送信する。需給調整信号は、例えば、需要家のユーザの電力消費行動をコントロールするインセンティブ情報を表す信号であってもよいし、需要家内の電気負荷、発電装置、蓄電装置等を制御する制御信号であってもよく、電力需給を変化させることのできる信号であればよい。
【００１８】
例えば、インセンティブ情報としては、電力価格情報、サービスポイント情報、メッセージ情報等を使用することができる。例えば、通常よりも高額に設定された電力料金の単価をユーザに知らせることにより、電力消費を抑えるようにユーザを誘導することができ、逆に、通常よりも低額に設定された電力価格をユーザに知らせることにより、電力消費を抑えないように（積極的に電力消費をするように）ユーザを誘導することができる。
【００１９】
この結果、本発明の電力需給調整システムによれば、個別需要家群ごとの種別毎件数に基づいて需給調整量を各個別需要家群に配分するため、需給調整を適正に行うことができる。
【００２０】
本発明の一側面の特徴は、
前記配分手段は、前記個別需要家群ごとの、前記電力需給の調整に対する過去の電力需給の応答実績を加味して、前記需給調整量を各個別需要家群に配分するように構成されたことにある。
【００２１】
本発明の一側面においては、配分手段が、個別需要家群ごとの、電力需給の調整に対する過去の電力需給の応答実績を加味して需給調整量を各個別需要家群に配分する。従って、配分された需給調整量によって、それぞれの個別需要家群において、どの程度電力需給が変化するかを予め適正に推定することができる。この結果、需給調整を一層適正に行うことができる。
【００２２】
本発明の一側面の特徴は、
前記配分手段は、前記個別需要家群ごとの、前記需要家種別ごとの前記電力需給の調整に対する過去の電力需給の応答実績を加味して、前記需給調整量を各個別需要家群に配分するように構成されたことにある。
【００２３】
本発明の一側面においては、配分比設定手段が、個別需要家群ごとの、需要家種別ごとの電力需給の調整に対する過去の電力需給の応答実績を加味して、需給調整量を各個別需要家群に配分する。需給調整に対する応答は、需要家種別によって特性が異なる。従って、本発明の一側面によれば、更に適正に需給調整を行うことができる。尚、応答実績は、例えば、各個別需要家群における需要家種別ごとの応答実績の平均値を用いるとよい。
【００２４】
本発明の一側面の特徴は、
前記配分手段は、前記需要家種別ごとに前記需給調整の時間帯を加味して、前記需給調整量を各個別需要家群に配分するように構成されたことにある。
【００２５】
需給調整に対して表れる需給量の応答特性は、時間帯によって異なる。この応答特性は、需要家種別によっても異なる。例えば、商用ビルにおいては、営業時間帯外では、もともと電力消費量が少ないため、電力削減の要求に応えられる電力量は少ない。また、住宅では、深夜および日中においては、同様に電力消費量が少ないため、電力削減の要求に応えられる電力量が少なくなる。そこで、本発明の一側面においては、配分手段が、需要家種別ごとに需給調整の時間帯を加味して需給調整量を配分する。従って、本発明の一側面によれば、一層適正に需給調整を行うことができる。
【００２６】
本発明の一側面の特徴は、
前記配分手段は、余剰電力が発生している個別需要家群と、電力不足が発生している個別需要家群とで、需給調整に係る負担が異なるように、前記需給調整量を各個別需要家群に配分するように構成されたことにある。
【００２７】
この場合、前記配分手段は、前記全体需要家群の電力需要を削減するための需給調整量を各個別需要家群に配分する場合であって、余剰電力が発生している個別需要家群と電力不足が発生している個別需要家群とが同時に存在する場合には、余剰電力が発生している個別需要家群の前記負担が、電力不足が発生している個別需要家群の前記負担よりも軽くなるように、前記需給調整量を各個別需要家群に配分するように構成されているとよい。
【００２８】
全体需要家群の電力需要を削減するための需給調整量を各個別需要家群に配分する際に、余剰電力が発生している個別需要家群と、電力不足が発生している個別需要家群とが同時に存在する場合、両方の個別需要家群に同じ度合の需給調整に係る負担を負わせた場合には、前者の個別需要家群のユーザにとって不公平感を抱かせるおそれがある。そこで、本発明の一側面においては、全体需要家群の電力需要を削減するための需給調整量を各個別需要家群に配分する場合であって、余剰電力が発生している個別需要家群と電力不足が発生している個別需要家群とが同時に存在する場合には、余剰電力が発生している個別需要家群の負担が、電力不足が発生している個別需要家群の負担よりも軽くなるように、需給調整量を各個別需要家群に配分する。従って、本発明の一側面によれば、個別需要家群間において公平性を保つことができ、ユーザの不満をできるだけ発生させないようにすることができる。
【００２９】
また、本発明は、電力需給調整システムに限らず、電力需給調整システムに設けられる上位地域電力管理装置、および、下位地域電力管理装置にも適用できるものである。
【００３０】
尚、上記説明においては、発明の理解を助けるために、実施形態に対応する発明の構成に対して、実施形態で用いた符号を括弧書きで添えているが、本発明の各構成要件は前記符号によって規定される実施形態に限定されるものではない。
【図面の簡単な説明】
【００３１】
【図１】本発明の実施形態に係る電力系統および電力需給調整システムの概略構成図である。
【図２】電力需給調整ルーチンを表すフローチャートである。
【図３】各需要家ＥＭＳにおける需給予測を表すグラフである。
【図４】下位ＣＥＭＳにおける需給予測を表すグラフである。
【図５】上位ＣＥＭＳにおける総需給予測を表すグラフである。
【図６】電力需給と電源周波数変動との関係を表すグラフである。
【図７】太陽光発電電力量の推移を表すグラフである。
【発明を実施するための形態】
【００３２】
以下、本発明の一実施形態に係る電力需給調整システムについて図面を用いて説明する。図１は、電力系統および電力需給調整システムの概略構成図である。電力系統は、発電事業者１０に設けられる発電設備１１と、送配電事業者２０に設けられ発電設備１１で発電した電力を需要家にまで供給する送配電設備２１とを含んでいる。発電事業者１０は、発電設備１１として火力発電設備、風力発電設備、太陽光発電設備、水力発電設備などを備えている。送配電設備２１は、発電された電力を商用電源電圧に変換して需要家３０に供給する。
【００３３】
需要家３０の電力使用料金は、小売電気事業者６０によって精算される。需要家３０は、地域別に複数のグループに分けられて、グループごとに電力需給が管理される。本実施形態においては、分かりやすくするために、需要家３０は、第１需要家群３１と第２需要家群３２とに分けられているものとして説明する。第１需要家群３１と第２需要家群３２とは、本発明の個別需要家群に相当する。
【００３４】
小売電気事業者６０も、需要家３０のグループ数に応じた数に分けられている。この例では、小売電気事業者６０は、第１需要家群３１の各需要家３０に対して電力料金の精算を行う第１小売電気事業者６１と、第２需要家群３２の各需要家３０に対して電力料金の精算を行う第２小売電気事業者６２とに分けられている。電力料金の単価は、各小売電気事業者６１，６２ごとに設定される。
【００３５】
各需要家３０には、太陽光発電装置、燃料電池など再生可能エネルギーを発生させる発電装置、建物内の余剰電力を蓄電する定置蓄電装置、夜間電力を利用して給湯するヒートポンプ式給湯装置、および、電気自動車（ＥＶ）あるいはプラグイン式ハイブリッド自動車（ＰＨＶ）の車載バッテリの充放電を行う充放電装置、等が任意に設けられている（図示略）。
【００３６】
また、第１需要家群３１の各需要家３０には、需要家３０内の電力を管理する需要家電力管理装置４１が設けられている。第２需要家群３２の各需要家３０には、需要家３０内の電力を管理する需要家電力管理装置４２が設けられている。以下、需要家電力管理装置４１と需要家電力管理装置４２とを区別する必要が無い場合には、両者を需要家電力管理装置４０と呼ぶ。需要家電力管理装置４０は、マイクロコンピュータ、表示装置、記憶装置、操作装置等を備えている（図示略）。需要家電力管理装置４０は、例えば、需要家内の消費電力量の計測、発電電力量の計測、充電電力量の計測、計測した各種電力量の表示、消費電力量を調整するための電気機器の制御、発電装置と定置蓄電装置の制御、および、後述するインセンティブ情報の提供等を行う装置である。
【００３７】
また、需要家電力管理装置４０は、後述する下位ＣＥＭＳ７０、および、図示しない情報端末装置と相互に無線通信あるいは有線通信を行うための通信回路を備えている。情報端末装置は、インセンティブ情報をユーザに通知する装置で、例えば、スマートフォン等の携帯端末、パソコン、家電コントローラ、家電リモコン、フォトフレームなどを使用することができる（図示略）。
【００３８】
インセンティブ情報とは、需要家３０内の人々（以下、ユーザと呼ぶ）の電力消費行動をコントロールする情報である。インセンティブ情報としては、例えば、電力価格情報、サービスポイント情報、メッセージ情報等を使用することができる。通常よりも高額に設定された電力料金の単価（以下、単に単価と呼ぶ）をユーザに知らせることにより、電力消費を抑えるようにユーザを誘導することができ、逆に、通常よりも低額に設定された電力価格をユーザに知らせることにより、電力消費を抑えないように（積極的に電力消費をするように）ユーザを誘導することができる。また、メール等によって直接的に電力消費を抑制するように指示したり、逆に、電力消費を勧めるように指示したりする情報であってもよい。従って、電力消費行動とは、ユーザが電力消費を抑制する行動（節電行動）だけでなく、その行動を弱める方向、つまり、電力消費を推進する行動も含まれている。
【００３９】
需要家電力管理装置４０は、管理対象となる需要家の種類（需要家の建物の用途）によって、以下のように複数の種別に分けられる。
ＨＥＭＳ（Home  Energy  Management  System)：戸建住宅の電力を管理する。
ＢＥＭＳ（Building  Energy  Management  System)：ビル（商用ビルや公共建物）の電力を管理する。
ＦＥＭＳ（Factory  Energy  Management  System)：工場の電力を管理する。
ＭＥＭＳ（Mansion  Energy  Management  System)：集合住宅の電力を管理する。
このように管理対象となる需要家の種類（需要家の建物の用途）を、需要家種別と呼ぶ。
【００４０】
第１需要家群３１および第２需要家群３２には、それぞれ、複数の需要家種別の需要家電力管理装置４０が設けられている。ここでは、分かりやすくするために、第１需要家群３１および第２需要家群３２には、それぞれＨＥＭＳ、ＢＥＭＳ、ＦＥＭＳ、ＭＥＭＳが１台ずつ設けられているものとして説明するが、実際には、各需要家群３１，３２には、非常にたくさんの需要家電力管理装置４０が設けられている。以下、これらの需要家電力管理装置４０を需要家ＥＭＳ４０と呼び、第１需要家群３１に設けられたものを特定する必要がある場合には、それらを第１需要家ＥＭＳ４１と呼び、第２需要家群３２に設けられたものを特定する必要がある場合には、それらを第２需要家ＥＭＳ４２と呼ぶ。
【００４１】
第１小売電気事業者６１は、第１下位地域電力管理装置７１を備えている。第１下位地域電力管理装置７１は、第１需要家群３１の電力需給を管理するものである。第１下位地域電力管理装置７１は、第１需要家群３１に設けられたそれぞれの第１需要家ＥＭＳ４１と相互に通信可能に設けられている。同様に、第２小売電気事業者６２は、第２下位地域電力管理装置７２を備えている。第２下位地域電力管理装置７２は、第２需要家群３２の電力需給を管理するものである。第２下位地域電力管理装置７２は、第２需要家群３２に設けられたそれぞれの第２需要家ＥＭＳ４２と相互に通信可能に設けられている。一般に、地域電力管理装置はＣＥＭＳ（Community  Energy  Management  System）と呼ばれるため、以下、第１下位地域電力管理装置７１を第１下位ＣＥＭＳ７１と呼び、第２下位地域電力管理装置７２を第２下位ＣＥＭＳ７２と呼び、それらを区別する必要がない場合には、単に、下位ＣＥＭＳ７０と呼ぶ。
【００４２】
各小売電気事業者６１，６２は、地域蓄電装置８１、および、地域発電装置８２を備えており、それぞれの管理する需要家群３１，３２に対して、地域蓄電装置８１、および、地域発電装置８２から電力供給できるようになっている。この地域蓄電装置８１、地域発電装置８２から供給される電力量は、電力需給予測に考慮される。
【００４３】
送配電事業者２０は、上位地域管理装置９０（以下、上位ＣＥＭＳ９０と呼ぶ）を備えている。上位ＣＥＭＳ９０は、第１需要家群３１および第２需要家群３２の電力需給を管理するものである。第１需要家群３１と第２需要家群３２とを合わせた需要家群が、本発明の全体需要家群に相当する。上位ＣＥＭＳ９０は、第１下位ＣＥＭＳ７１および第２下位ＣＥＭＳ７２に対して、それぞれ相互に通信可能に設けられている。送配電事業者２０は、地域蓄電池２２を備えており、上位ＣＥＭＳ９０からの充放電指令によって、地域蓄電池２２と配電網との間で充放電を行うことができるようになっている。また、上位ＣＥＭＳ９０は、発電事業者１０に対して、電力需給状況に応じた発電要求を行うとともに、発電事業者から発電量の報告を受けるようになっている。
【００４４】
本実施形態の電力需給調整システムは、上位ＣＥＭＳ９０と、上位ＣＥＭＳ９０に通信可能に接続される複数の下位ＣＥＭＳ７０（この例では、第１下位ＣＥＭＳ７１と第２下位ＣＥＭＳ７２）と、各下位ＣＥＭＳ７０にそれぞれ通信可能に接続される複数の需要家ＥＭＳ４０（この例では、４つの第１需要家ＥＭＳ４１と４つの第２需要家ＥＭＳ４２）とから構成される。
【００４５】
次に、電力需給調整システムの動作について説明する。図２は、電力需給調整ルーチンを表す。電力需給調整ルーチンは、所定の周期（例えば、１日に１回）で実施される。上位ＣＥＭＳ９０は、ステップＳ１１において、下位ＣＥＭＳ７０（第１下位ＣＥＭＳ７１，第２下位ＣＥＭＳ７２）のそれぞれに対して、需給情報要求を送信する。各下位ＣＥＭＳ７０は、需給情報要求を受信すると、ステップＳ１２において、自身が管理する需要家群（第１需要家群３１，第２需要家群３２）の全ての需要家ＥＭＳ４０（各第１需要家ＥＭＳ４１，各第２需要家ＥＭＳ４２）に対して、需給予測要求を送信する。
【００４６】
各需要家ＥＭＳ４０は、需給予測要求を受信すると、ステップＳ１３において、需給予測演算を実施し、ステップＳ１４において、その需給予測演算結果を表す需給予測情報を、自身を管理する下位ＣＥＭＳ７０に送信する。
【００４７】
需要家ＥＭＳ４０は、ステップＳ１３において、例えば、需要家３０内における一定期間（この例では、一日分）の電力需給の予測演算、つまり、需要電力量、発電量、蓄電量、引込量、余剰量の予測演算を行う。図３（ａ）は、第１需要家群３１に設けられたＨＥＭＳによって演算された時間帯ごとの電力需給予測の一例を表し、図３（ｂ）は、第１需要家群３１に設けられたＭＥＭＳによって演算された時間帯ごとの電力需給予測の一例を表し、図３（ｃ）は、第１需要家群３１に設けられたＢＥＭＳによって演算された時間帯ごとの電力需給予測の一例を表し、図３（ｄ）は、第１需要家群３１に設けられたＦＥＭＳによって演算された時間帯ごとの電力需給予測の一例を表す。
【００４８】
需給予測項目の一つである需要電力量（以下、需要量と呼ぶ）は、需要家３０において将来的に見込まれる消費電力量の推定値である。各需要家ＥＭＳ４０は、分電盤で計測された消費電力量の推移を記憶しており、この過去の電力消費履歴をベースにして、日時、曜日、家電機器の構成、蓄電池の構成、充電式車両（ＥＶ，ＰＨＶ等）の構成、所属人数、所属者年齢、所属者性別等の情報（需要家内情報と呼ぶ）を考慮して需要量を推定する。そのようにするために、各需要家ＥＭＳ４０は、電力消費履歴に加えて、上記の需要家内情報を記憶している。
【００４９】
需給予測項目の一つである発電量は、需要家３０において将来的に見込まれる発電量の推定値である。各需要家ＥＭＳ４０は、需要家３０内に設けられた発電装置（太陽光発電装置、燃料電池など）の諸元、および、稼動計画をベースに発電量を推定する。各需要家ＥＭＳ４０は、自然エネルギーを利用した発電装置（太陽光発電装置など）の発電量については、気象予報情報を考慮して推定する。
【００５０】
需給予測項目の一つである蓄電量は、需要家３０において将来的に見込まれる蓄電装置の蓄電量（蓄電されている電力量）の推定値である。各需要家ＥＭＳ４０は、充放電計画を記憶しており、この充放電計画をベースに蓄電量を推定する。各需要家ＥＭＳ４０は、単位時間当たりの蓄電池充電量（蓄電装置に充電された電力量）と蓄電池放電量（蓄電装置から放電された電力量）との差の積算値を、蓄電装置の蓄電量として計算する。蓄電量の上限値は、需要家３０に設置される定置蓄電装置、および、需要家３０の所有する車両の車載蓄電装置における蓄電量上限値（満充電量）の和によって計算される。尚、充放電計画については、ユーザによって設定される場合、機器運用会社によって設定される場合、後述するインセンティブ情報に応じて設定される場合など、色々なケースが考えられる。
【００５１】
引込量あるいは余剰量の推定値は、下記式（１）によって演算される。
Ｐｘ＝（Ｐ１＋Ｐ２）−（Ｐ３＋Ｐ４）  ・・・（１）
ここで、Ｐｘは引込量あるいは余剰量の推定値を表し、Ｐ１は需要量の推定値を表し、Ｐ２は蓄電池充電量の推定値を表し、Ｐ３は発電量の推定値を表し、Ｐ４は蓄電池放電量の推定値を表す。（Ｐ１＋Ｐ２）は、需要要素を表し、（Ｐ３＋Ｐ４）は供給要素を表す。従って、Ｐｘは、正の値を示す場合には引込量を表し、負の値を示す場合には余剰量を表す。
【００５２】
図３に示すように、需要量の一日の推移傾向は、需要家種別によって異なる。例えば、ＨＥＭＳあるいはＢＥＭＳによって管理される需要家３０については、日中の時間帯における電力需要が少なくなる傾向を有し、ＢＥＭＳとＦＥＭＳによって管理される需要家３０については、日中の時間帯における電力需要が多くなる傾向を有する。また、自然エネルギーを利用した発電量の推移は、同じ需要家群に含まれる需要家間（近隣の需要家間）においては、気象条件が似ているため同様の傾向を示す。一方、異なる需要家群に含まれる需要家間（近隣でない需要家間）においては、気象条件が似ているとは言えないため、異なる傾向を示す場合がある。尚、図３は、第１需要家群３１の各電力量の一日の推移を表すためのものであって、縦軸は、電力量の大きさを同じスケールで表すものではない。従って、ＨＥＭＳとＢＥＭＳとでは、需要電力量の一日の推移は同様の傾向を示すものの、需要電力量の大きさは異なる。
【００５３】
図２の電力需給調整ルーチンの説明に戻す。各需要家ＥＭＳ４０は、上記のように電力需給の予測演算を行うと、ステップＳ１４において、その予測結果を表す需給予測情報を、自身を管理する下位ＣＥＭＳ７０に送信する。つまり、各第１需要家ＥＭＳ４１は、第１下位ＣＥＭＳ７１に需給予測情報を送信し、各第２需要家ＥＭＳ４２は、第２下位ＣＥＭＳ７２に需給予測情報を送信する。この需給予測情報は、時間帯ごとの引込量あるいは余剰量を表す情報である。
【００５４】
各下位ＣＥＭＳ７０は、各需要家ＥＭＳ４０から需給予測情報を受信すると、ステップＳ１５において、自身の管理する需要家群（第１需要家群３１または第２需要家群３２）の需給予測演算を行う。この場合、各下位ＣＥＭＳ７０は、自身の管理する需要家群の需要量と余剰量、発電量、蓄電量の予測演算を行い、これらの予測演算に基づいて、需要家群の電力需給状態を表す引込量と余剰量の予測演算を行う。
【００５５】
図４（ａ）は、第１下位ＣＥＭＳ７１によって演算された第１需要家群３１の需給予測の一例を表し、図４（ｂ）は、第２下位ＣＥＭＳ７２によって演算された第２需要家群３２の需給予測の一例を表す。
【００５６】
図４の上段のグラフに示した各需要家群の需要量と余剰量とについては、各需要家ＥＭＳ４０から送信された引込量と余剰量とを時間帯別に合計して算出される。合計値が正の値を示す場合には、引込量となり、負の値を示す場合には余剰量を表すことになる。この引込量の合計は、需要家群における需要量となり、余剰量の合計は、需要家群における余剰量となる。
【００５７】
また、図４の２段目のグラフに示した発電量は、下位ＣＥＭＳ７０によってそれぞれ管理される地域発電装置８２（各需要家３０に設けられた発電装置とは別の発電装置）の将来的に見込まれる発電量の推定値を表す。各下位ＣＥＭＳ７０は、自身の管理する地域発電装置８２の諸元、および、稼動計画をベースに発電量を推定する。各下位ＣＥＭＳ７０は、自然エネルギーを利用した発電装置（太陽光発電装置、風力発電装置など）については、気象予報情報を考慮して発電量を推定する。
【００５８】
また、図４の３段目のグラフに示した蓄電量は、下位ＣＥＭＳ７０によってそれぞれ管理される地域蓄電装置８１（各需要家に設けられた蓄電装置とは別のもの）の将来的に見込まれる蓄電量の推定値を表す。各下位ＣＥＭＳ７０は、自身の管理する地域蓄電装置８１の充放電計画を記憶しており、この充放電計画をベースに蓄電量を推定する。
【００５９】
各下位ＣＥＭＳ７０は、時間帯毎の蓄電池充電量（地域蓄電装置８１に充電された電力量）と蓄電池放電量（地域蓄電装置８１から放電された電力量）との差の積算値を、地域蓄電装置８２の蓄電量として計算する。蓄電量の上限値は、地域蓄電装置８２、および、地域車載蓄電装置（各需要家の有する車載蓄電装置とは別のもの）における蓄電量上限値（満充電量）の和によって計算される。尚、充放電計画については、下位地域管理者によって設定される場合、機器運用会社によって設定される場合、インセンティブ情報に応じて設定される場合など、色々なケースが考えられる。
【００６０】
上記の需要量と余剰量、発電量、蓄電量に基づいて、需要家群の電力需給状態を表す引込量と余剰量とが演算される。引込量と余剰量とは、各需要家群３１，３２を単位とした引込量と余剰量との予測値であって、上記式（１）と同様にして演算される。
【００６１】
図４に示した例では、第１需要家群３１の地域の天候は晴であり、第２需要家群３２の地域の天候は雨である。このため、第１下位ＣＥＭＳ７１によって管理される地域発電装置８２の発電量には、太陽光発電量が多く含まれているが、第２下位ＣＥＭＳ７２によって管理される地域発電装置８２の発電量には、太陽光発電量がほとんど含まれていない。また、第１需要家群３１の日中の需要量は少なく、第２需要家群３２の日中の需要量は多くなっている。
【００６２】
図４に示した電力需給予測例では、第１需要家群３１においては、引込量がゼロであり、１５時，１６時に電力余剰が発生している。一方、第２需要家群３２においては、引込量が多く（６時〜２３時）、電力余剰は発生していない。
【００６３】
引込量が多い場合には、ユーザに節電行動を推進させることで引込量を減らすことができる。また、電力余剰が発生している場合には、ユーザに電力使用を推進させることで余剰電力を有効利用することができる。そこで、各下位ＣＥＭＳ７０は、引込量と余剰量とが平準化されるように、ステップＳ１６において、ユーザの電力消費行動をコントロールする仮の需給調整計画（以下、仮需給調整計画と呼ぶ）を設定する。この仮需給調整計画は、例えば、時間帯ごとに需給調整量を設定したものである。この仮需給調整計画は、各下位ＣＥＭＳ７０において単独で行われ、下位ＣＥＭＳ７０間の需給予測関係が考慮されない。尚、後述する上位ＣＥＭＳ９０にて、各下位ＣＥＭＳ７０の需給予測を合算した総需給予測が演算されて、その総需給予測に基づいて正式な需給調整計画が設定される。従って、仮需給調整計画は、上位ＣＥＭＳ９０が正式な需給調整計画を設定するまでの仮のものである。
【００６４】
本実施形態においては、電力単価の調整によって需給調整を行う。電力単価を各需要家ＥＭＳ４０からユーザに知らしめることによって、ユーザの電力消費行動を変化させることができる。例えば、電力消費に対する電力料金の単価（以下、電力単価と呼ぶ）を基準単価（平均的な単価）よりも高く設定すれば、ユーザは節電に心掛ける。一方、電力単価を基準単価よりも安く設定すれば、ユーザは節電を緩めたり、電力消費を推進したりする。例えば、車載蓄電池の充電を行ったり、空調機の設定温度を節電温度から快適温度に変更したりする。従って、電力単価を時間帯ごとに変更することによって、時間帯ごとに需給調整を行うことができる。
【００６５】
仮需給調整計画で使用する電力単価（以下、仮電力単価と呼ぶ）は、電力余剰が発生している時間帯においては、余剰量が多いほど基準単価よりも低い価格に設定される。一方、電力引き込みが行われている時間帯においては、引込量が多いほど基準単価よりも高い価格に設定される。図４に示す例では、第１下位ＣＥＭＳ７１は、電力余剰が発生している１５時〜１６時に電力単価を基準単価よりも安く設定し、その他の時間帯に電力単価を基準単価に設定する。一方、第２下位ＣＥＭＳ７２は、電力引き込みが行われている６時〜２３時に電力単価を基準単価よりも高く設定し、その他の時間帯に電力単価を基準単価に設定する。
【００６６】
各下位ＣＥＭＳ７０は、仮電力単価を設定すると、ステップＳ１７において、自身の管理する需要家ＥＭＳ４０に対して、仮電力単価情報を送信する。つまり、第１下位ＣＥＭＳ７１は、各第１需要家ＥＭＳ４１に仮電力単価情報を送信し、第２下位ＣＥＭＳ７２は、各第２需要家ＥＭＳ４１に仮電力単価情報を送信する。
【００６７】
各需要家ＥＭＳ４０は、仮電力単価情報を受信すると、ステップＳ１８において、仮電力単価をユーザに通知する。仮電力単価のユーザへの通知は、需要家ＥＭＳ４０に設けられた表示器に表示するようにしても良いし、ユーザの使用する情報端末、例えば、携帯端末（スマートフォン等）、パソコン、フォトフレーム、家電リモコン等を介してユーザに通知するようにしてもよい。これにより、ユーザは、仮電力単価を認識して、電力消費行動をとるようになる。従って、この仮電力単価は、ユーザに電力消費行動にかかるインセンティブを与える情報となる。
【００６８】
また、各下位ＣＥＭＳ７０（第１下位ＣＥＭＳ７１，第２下位ＣＥＭＳ７２）は、ステップＳ１９において、自身の管理する需要家群（第１需要家群３１，第２需要家群３２）に関する需要家情報を更新する。この需要家情報は、需要家群における需要家種別ごとの需要家３０の件数（電力契約を交わしている需要家３０に設けられた需要家ＥＭＳ４０の件数）、および、平均応答係数を表す情報である。平均応答係数については、後述する。
【００６９】
続いて、各下位ＣＥＭＳ７０は、ステップＳ２０において、演算した引込量と余剰量との時間帯ごとの予測値を表す需給予測情報を上位ＣＥＭＳ９０に送信する。このとき、各下位ＣＥＭＳ７０は、自身の管理する需要家群（第１需要家群３１，第２需要家群３２）に所属する需要家３０に関する需要家情報についても上位ＣＥＭＳ９０に送信する。
【００７０】
上位ＣＥＭＳ９０は、ステップＳ２１において、各下位ＣＥＭＳ７０から送信された需給予測情報および需要家情報を受信する。そして、需給予測情報に基づいて、総需給予測演算を行う。この場合、上位ＣＥＭＳ９０は、各下位ＣＥＭＳ７０が演算した引込量と余剰量とを時間帯別に合計することにより、自身の管理する全ての需要家群（第１需要家群３１＋第２需要家群３２：以下、全体需要家群と呼ぶ）におけるトータルの引込量と余剰量との予測値を演算する。
【００７１】
図５の上段グラフは、上位ＣＥＭＳ９０が演算した総需給予測結果を表す。総需給予測結果は、時間帯別の引込量と余剰量とによって表される。上位ＣＥＭＳ９０は、ステップＳ２２において、総需給予測結果に基づいて、全体需要家群の電力需給を調整する需給調整量を演算する。この場合、電力引き込みが発生している時間帯においては、ユーザに対して節電を推進する方向に働く需給調整量が演算され、電力余剰が発生している時間帯においては、ユーザに対して節電を緩める方向に働く需給調整量が演算される。本実施形態における需給調整量は、電力単価を調整する電力単価調整額であって、引込量が多いほど電力単価を基準単価に対して増加させるように設定され、余剰量が多いほど電力単価を基準単価に対して減少させるように設定される。
【００７２】
電力単価調整額は、上位ＣＥＭＳ９０が演算した引込量あるいは余剰量に変換係数αを乗じて算出される。例えば、図５において、午前６時における引込量がＡ6（ｋＷｈ）であるとすると、午前６時における配分前電力単価調整額Ｘ6は、次式（２）以下のように計算される。
Ｘ6＝Ａ6×α  ・・・（２）
また、例えば、図５において、午後３時（１５時）における余剰量がＡ15（ｋＷｈ）であるとすると、午後３時における配分前電力単価調整額Ｘ15は、次式（３）のように計算される。
Ｘ15＝−Ａ15×α  ・・・（３）
尚、この配分前電力単価調整額Ｘ6，Ｘ15は、代表例であって、配分前電力単価調整額は、各時間帯のすべてについて計算される。
【００７３】
この配分前電力単価調整額が、第１需要家群３１と第２需要家群３２とに配分される。上位ＣＥＭＳ９０は、ステップＳ２３において、この配分前電力単価調整額を第１需要家群３１と第２需要家群３２とに配分するための配分比を設定する。この配分比の設定については後述する。続いて、上位ＣＥＭＳ９０は、ステップＳ２４において、配分前電力単価調整額および配分比に基づいて、最終的な需給調整計画を表す第１需要家群３１の電力単価Ｃ１と第２需要家群３２の電力単価Ｃ２とを以下のように演算する。
【００７４】
各時間帯ごとの配分前電力単価調整額をＸとすると、この配分前電力単価調整額Ｘが各下位ＣＥＭＳ７０の管理する需要家群に配分される。例えば、第１下位ＣＥＭＳ７１によって管理される第１需要家群３１への配分係数をＫ１、第２下位ＣＥＭＳ７２によって管理される第２需要家群３２への配分係数をＫ２とすると、第１需要家群３１における電力単価調整額Ｘ１、第２需要家群３２における電力単価調整額Ｘ２は次式（４），（５）により計算される。
Ｘ１＝Ｋ１×Ｘ  ・・・（４）
Ｘ２＝Ｋ２×Ｘ  ・・・（５）
配分係数Ｋ１，Ｋ２の設定方法については、後述する。第１需要家群３１への配分比は、Ｋ１／（Ｋ１＋Ｋ２）となり、第２需要家群３２への配分比は、Ｋ２／（Ｋ１＋Ｋ２）となる。
【００７５】
電力単価は、各需要家群３１，３２ごとに設定される。この場合、第１下位ＣＥＭＳ７１によって管理される第１需要家群３１に適用される電力単価Ｃ１、および、第２下位ＣＥＭＳ７２によって管理される第２需要家群３２に適用される電力単価Ｃ２は、次式（６），（７）のように計算される。
Ｃ１＝Ｘ１＋Ｃbase  ・・・（６）
Ｃ２＝Ｘ２＋Ｃbase  ・・・（７）
ここで、Ｃbaseは、予め設定された基準単価を表す。基準単価は、平均的な電力単価として設定されるものである。
【００７６】
最終的な需給調整計画は、この電力単価Ｃ１，Ｃ２で表される。
【００７７】
上位ＣＥＭＳ９０は、ステップＳ２４において、上述したように電力単価Ｃ１，Ｃ２を演算すると、ステップＳ２５において、電力単価Ｃ１を表す情報を第１下位ＣＥＭＳ７１に送信し、電力単価Ｃ２を表す情報を第２下位ＣＥＭＳ７２に送信する。この電力単価Ｃ１，Ｃ２を表す情報は、本発明における需給調整量配分結果を表す情報に相当する。
【００７８】
各下位ＣＥＭＳ７０は、電力単価を表す情報を受信すると、ステップＳ２６において、先のステップＳ１６で算出した仮電力単価を、上位ＣＥＭＳ９０から送信された電力単価に修正する（差し替える）。こうして需給調整計画が修正される。各下位ＣＥＭＳ７０は、ステップＳ２７において、修正した電力単価を表す情報をインセンティブ情報として、自身の管理する需要家ＥＭＳ４０に送信する。
【００７９】
これにより、各需要家ＥＭＳ４０は、ステップＳ２８において、表示器および情報端末に表示していた電力単価の表示を、仮の値（仮電力単価）から正式の値（正式電力単価）に変更する。この結果、ユーザは、正式な電力単価を認識して電力消費行動をとるようになる。この場合、例えば、各需要家ＥＭＳ４０は、仮電力単価と正式電力単価とで表示形態を変更するように構成されているとよい。
【００８０】
＜配分係数＞
次に、配分係数Ｋ１，Ｋ２の設定方法について説明する。配分係数Ｋ１，配分係数Ｋ２は、配分前電力単価調整額Ｘを第１需要家群３１，第２需要家群３２に配分するための係数であり、次式（８），（９）により計算される。
Ｋ１＝ｙ１×（ｚ１／（ｚ１＋ｚ２））  ・・・（８）
Ｋ２＝ｙ２×（ｚ２／（ｚ１＋ｚ２））  ・・・（９）
ここで、ｙ１は第１需要家群３１の負担係数、ｙ２は第２需要家群３２の負担係数、ｚ１は第１需要家群３１の応答係数、ｚ２は第２需要家群３２の応答係数を表す。これらの係数について、以下、説明する。
【００８１】
＜負担係数＞
表１は、第１需要家群３１，第２需要家群３２の需給状態に応じて設定される負担係数ｙ１，負担係数ｙ２を表す。
【表１】
2016046922.tif 000003
【００８２】
負担係数ｙ１，ｙ２は、第１需要家群３１、第２需要家群３２の需給状態、つまり、電力不足状態（電力引き込み状態）であるか、電力余剰状態であるかに応じて設定される。この場合、表１に示すように、第１需要家群３１，第２需要家群３２とで電力需給状態が同じである場合には、負担係数ｙ１，ｙ２は、互いに同じ値（０．５）に設定される。
【００８３】
また、第１需要家群３１，第２需要家群３２とで需給状態が異なる場合（一方が電力引き込み状態、他方が電力余剰状態となる場合）には、電力余剰状態となっている需要家群の電力料金の負担を小さくし、電力不足状態となっている需要家群の電力料金の負担を大きくする。例えば、上位ＣＥＭＳ９０が予測した総需給状態（図５の上段グラフに示すように、第１需要家群３１，第２需要家群３２の引込量と余剰量の合計で表される）が電力不足状態（電力引き込み状態）である場合には、電力単価調整額は、電力単価を基準単価よりも増加させる方向に作用するものとなる。この場合、上位ＣＥＭＳ９０は、電力余剰状態となっている需要家群（３１または３２）の負担係数を、電力不足状態となっている需要家群（３２または３２）の負担係数よりも小さな値に設定する。例えば、電力余剰状態となっている需要家群（３１または３２）の負担係数を値（０．３）に設定し、電力不足状態となっている需要家群（３２または３２）の負担係数を値（０．７）に設定する。
【００８４】
一方、上位ＣＥＭＳ９０が予測した需給状態が電力余剰状態である場合には、電力単価調整額は、電力単価を基準単価よりも低減させる方向に作用するものとなる。この場合、本実施形態においては、負担係数ｙ１，ｙ２を設定するのではなく、配分係数Ｋ１，配分係数Ｋ２そのものを所定値、例えば、値（１．０）と値（０）とに設定する。つまり、上位ＣＥＭＳ９０は、電力余剰状態となっている需要家群（３１または３２）の配分係数（Ｋ１またはＫ２）を値（１．０）に設定し、電力不足状態となっている需要家群（３２または３１）の配分係数（Ｋ２またはＫ１）を値（０）に設定する。これにより、電力余剰状態となっている需要家群のみに対して電力料金の負担を軽くすることができる。尚、これに代えて、負担係数ｙ１，ｙ２を設定してもよい。この場合には、負担係数が大きいほど電力料金の負担が軽減されるため、電力余剰状態となっている需要家群（３１または３２）の負担係数を、電力不足状態となっている需要家群（３２または３２）の負担係数よりも大きな値に設定するとよい。例えば、電力余剰状態となっている需要家群（３１または３２）の負担係数を値（０．７）に設定し、電力不足状態となっている需要家群（３２または３２）の負担係数を値（０．３）に設定する。
【００８５】
このようにすることで、電力不足状態となっている需要家群においては、電力余剰となっている需要家群に比べて、電力料金の負担率が大きくなる。換言すれば、電力余剰となっている需要家群においては、電力不足状態となっている需要家群に比べて、電力料金の負担率が軽くなる。これにより、需要家群間での公平性を保つことができる。
【００８６】
＜応答係数＞
需給調整を行う際に、需給調整に対して需要家３０がどの程度応答するか、つまり、電力単価の変更をユーザに知らせることによって、需給がどの程度変化するかについて予め把握しておけば、需給調整を精度良く行うことができる。上記の式（８）、（９）で用いられる応答係数ｚ１，ｚ２は、電力単価の変更に対する需給量の変動度合を表すものである。
【００８７】
＜需要家平均応答係数＞
電力単価の変更によって表れる需給量の変動は、需要家種別、時間帯によって傾向が異なる。また、需給量の変動量は、需要家３０の件数に比例する。そこで、本実施形態においては、各下位ＣＥＭＳ７０は、需要家種別ごとの件数と、需要家種別ごとの需要家一件あたりの平均応答係数（需要家平均応答係数と呼ぶ）とを表す需要家情報を逐次更新記憶し、上位ＣＥＭＳ９０に需給予測情報を送信するときに、この需要家情報も一緒に送信する。ここで、需要家３０の件数とは、需要家ＥＭＳ４０の数を意味する。
【００８８】
需要家平均応答係数は、例えば、電力単価が基準単価に設定されているときに計測された電力需給量と、電力単価が基準単価に対して増減調整されているときに計測された電力需給量との差（絶対値）を、電力単価の調整に応答して得られた応答電力量として算出し、この応答電力量の需要家種別ごとの需要家一件あたりの平均値として算出することができる。
【００８９】
この需要家平均応答係数は、最終的には、配分係数Ｋ１，Ｋ２を設定するために必要とされるものである。従って、応答電力量の大きさそのものを正確に算出する必要はなく、各下位ＣＥＭＳ７０間における需給調整に対する応答電力量のバランスを把握できる指標となる値が平均応答係数として設定されればよい。
【００９０】
各下位ＣＥＭＳ７０は、電力需給調整ルーチン（図２）とは別に、各需要家ＥＭＳ４０から所定の周期で需給量の実績を表す実績情報を取得しており、その実績情報から、各需要家３０における日付、時間帯別の電力消費量と電力余剰量とを把握することができるようになっている。各下位ＣＥＭＳ７０は、需要家平均応答係数を需要家種別ごとに設定するために、この実績情報と需給調整実績情報（日付、時間帯別の電力単価を表す情報）とに基づいて需要家種別ごとに平均応答係数を演算し、その都度、最新の所定期間における平均応答係数を新たな平均応答係数として更新記憶する。
【００９１】
表２（ａ）は、第１下位ＣＥＭＳ７１における需要家情報（第１需要家群３１の需要家件数、需要家平均応答係数）を表し、表２（ｂ）は、第２下位ＣＥＭＳ７２における需要家情報（第２需要家群３２の需要家件数、需要家平均応答係数）を表す。
【表２】
2016046922.tif 000004
【００９２】
この例では、第１下位ＣＥＭＳ７１の管理する第１需要家群３１、第２下位ＣＥＭＳ７２の管理する第２需要家群３２ともに、需要家件数が、需要家種別ごとに各１件となっている。つまり、第１下位ＣＥＭＳ７１、第２下位ＣＥＭＳ７２には、それぞれ各１台のＨＥＭＳ、ＭＥＭＳ、ＢＥＭＳ、ＦＥＭＳが接続されている。需要家件数については、その値が大きいほど需給調整に対するキャパシティが大きいことを意味する。また、平均応答係数についても、その値が大きいほど需給調整に対するキャパシティが大きいことを意味する。
【００９３】
＜時間帯係数＞
需給調整（電力単価の調整）に対して表れる需給量の応答特性は、時間帯によって異なる。この応答特性は、需要家種別によっても異なる。上位ＣＥＭＳ９０は、電力需給調整ルーチン（図２）とは別に、各下位ＣＥＭＳ７０から所定の周期で需要家種別ごとの需給量の実績を表す実績情報を取得しており、その実績情報から、全体需要家群における需要家種別ごとの需給量の実績を把握できるようになっている。そこで、上位ＣＥＭＳ９０は、全体需要家群における需要家種別ごとの需給実績と、需給調整実績（電力単価調整実績）とに基づいて、全体需要家群における時間帯ごとの応答度合を表す時間帯係数を需要家種別ごとに計算する。上位ＣＥＭＳ９０は、時間帯係数の計算を定期的に行い、その都度、最新の所定期間における時間帯係数を新たな時間帯係数として更新記憶する。時間帯係数は、その値が大きいほど電力需給調整に対するキャパシティが大きいことを意味する。
【００９４】
表３は、需要家種別ごとの時間帯係数を表している。例えば、戸建住宅あるいは集合住宅に関しては、家庭の一般的な生活時間帯となる６時〜９時、１８時〜２１時に大きな時間帯係数が設定される。一方、ビルあるいは工場に関しては、営業時間帯あるいは稼動時間帯に大きな時間帯係数が設定される。
【表３】
2016046922.tif 000005
【００９５】
＜ＣＥＭＳ応答係数＞
上述したように、上位ＣＥＭＳ９０は、配分係数Ｋ１，Ｋ２を演算するときに、第１下位ＣＥＭＳ応答係数ｚ１と第２下位ＣＥＭＳ応答係数ｚ２とをパラメータとして用いる。この第１下位ＣＥＭＳ応答係数ｚ１と第２下位ＣＥＭＳ応答係数ｚ２とは、上位ＣＥＭＳ９０によって、以下のように演算される。尚、第１下位ＣＥＭＳ応答係数ｚ１と第２下位ＣＥＭＳ応答係数ｚ２との演算方法は、共通しているので、ここでは両者を区別せずに説明する。以下、第１下位ＣＥＭＳ応答係数ｚ１と第２下位ＣＥＭＳ応答係数ｚ２とを下位ＣＥＭＳ応答係数ｚと総称する。
【００９６】
下位ＣＥＭＳ応答係数ｚは、需要家種別ごとに計算された応答係数ｚ＊を合計することにより算出される。例えば、応答係数ｚ＊を、戸建住宅に係る応答係数をｚｈ、集合住宅に係る応答係数をｚｍ、ビルに係る応答係数をｚｂ、工場に係る応答係数をｚｆとして需要家種別ごとに表した場合、下位ＣＥＭＳ応答係数ｚは、（ｚｈ＋ｚｍ＋ｚｂ＋ｚｆ）として計算される。
需要家種別ごとの応答係数ｚ＊は、次式（１０）によって演算される。
ｚ＊＝Ｎ×Ｋｒ×Ｋｔ  ・・・（１０）
ここで、Ｎは需要家件数、Ｋｒは需要家平均応答係数、Ｋｔは時間帯係数である。
【００９７】
表４は、一例として、１８時〜２１時の時間帯における需要家種別ごとの第１下位ＣＥＭＳ応答係数ｚ１＊と第２下位ＣＥＭＳ応答係数ｚ２＊とを表す。
【表４】
2016046922.tif 000006
【００９８】
例えば、第１需要家群３１の戸建住宅に係る第１下位ＣＥＭＳ応答係数ｚ１ｈは、次式（１１）のように計算される。
ｚ１ｈ＝１．０×１．０×３．０＝３．０  ・・・（１１）
例えば、第２需要家群３２の商用ビルに係る第２下位ＣＥＭＳ応答係数ｚ２ｂは、次式（１２）のように計算される。
ｚ２ｂ＝１．０×６０．０×２．０＝１２０．０  ・・・（１２）
【００９９】
第１下位ＣＥＭＳ応答係数ｚ１は、第１需要家群３１における需要家種別ごとの応答係数ｚ１＊の合計値に設定される。この例では、第１下位ＣＥＭＳ応答係数ｚ１は、１４８．０となる。同様に、第２下位ＣＥＭＳ応答係数ｚ２は、第２需要家群３２における需要家種別ごとの応答係数ｚ２＊の合計値に設定される。この例では、第２下位ＣＥＭＳ応答係数ｚ２は、２８９．０となる。
【０１００】
上位ＣＥＭＳ９０は、このようにして算出された応答係数ｚ１，ｚ２，負担係数ｙ１，ｙ２を上記式（８），（９）に代入することにより配分係数Ｋ１，Ｋ２を算出し、算出した配分係数Ｋ１，Ｋ２を上記式（４），（５）に代入することにより、第１需要家群３１における電力単価調整額Ｘ１、第２需要家群３２における電力単価調整額Ｘ２を算出する。上位ＣＥＭＳ９０は、この電力単価調整額Ｘ１，Ｘ２を上記式（６），（７）に代入することにより、最終的な需給調整計画を表す電力単価Ｃ１，Ｃ２を算出する。
【０１０１】
こうして、電力単価Ｃ１を表す情報が第１下位ＣＥＭＳ７１に送信され、電力単価Ｃ２を表す情報が第２下位ＣＥＭＳ７２に送信される。
【０１０２】
ここで、電力需給調整システムの役割について説明する。電力系統内においては、需要（消費電力量）と供給（発電電力量）とのバランスをとる必要がある。図６（ａ）は、消費電力量と発電電力量の時間推移を示し、図６（ｂ）は、供給電力の交流周波数変動の時間推移を表す。図示するように、需要と供給との差が大きくなるほど、供給電力の交流周波数変動が大きくなり、電源としての品質が低下する。このため、需要が供給を大きく上回る場合には、一時的な停電（一部の電気負荷を電力系統から切り離すこと）等の対応が必要となる。
【０１０３】
また、自然エネルギーを利用した発電装置（例えば、ソーラーパネル）が普及してくると、需要量および供給量が気象条件によって大きく変化する。例えば、図７に示すように、ソーラーパネルの太陽光発電電力量は、快晴の場合には、実線にて示すように推移するが、雲の通過によって太陽光が遮られたときには、破線にて示すように一時的に落ち込む。
【０１０４】
また、発電事業者１０の保有する発電設備１１の規模は、ピーク電力の大きさにあわせて決定される。このため、ピーク電力を下げることにより、発電設備１１の規模の縮小、あるいは、大規模化の抑制を図ることができる。従って、電力需要の変動を極力抑えたいという要求がある。
【０１０５】
こうした背景、要求に対処するために、本実施形態の電力需給調整システムにおいては、需要家群ごとに設けられ需要家群内の各需要家ＥＭＳ４０と送受信可能な下位ＣＥＭＳ７０と、下位ＣＥＭＳ７０の上位に設けられ各下位ＣＥＭＳ７０と送受信可能な上位ＣＥＭＳ９０とを備えている。各需要家ＥＭＳ４０は、一日の時間帯ごとの需給予測演算を実施し、その予測結果（引込量と余剰量）を下位ＣＥＭＳ７０に送信する。各下位ＣＥＭＳ７０は、需要家ＥＭＳ４０の予測結果に基づいて、需要家群の需給予測を演算して上位ＣＥＭＳ９０に送信する。上位ＣＥＭＳ９０は、各下位ＣＥＭＳ７０から送信された需給予測結果に基づいて、需給調整計画（需要家群ごとの電力単価）を設定し、需給調整計画を各下位ＣＥＭＳ７０を介して各需要家ＥＭＳ４０に通知する。
【０１０６】
これにより、各需要家３０のユーザは、時間帯毎に設定された電力単価に誘導されて電力消費行動をとる。例えば、電力引込量が多い場合には、電力単価が通常より高く設定されるため、ユーザは、節電を積極的に推進する。従って、電力ピークを下げることができる。逆に、余剰電力が発生している場合には、電力単価が通常よりも低く設定されるため、ユーザは節電を緩和し、あるいは、電力消費を推進する。例えば、車載バッテリの充電を積極的に行ったりする。従って、余剰電力を有効利用することができる。また、需給調整計画が時間帯毎に電力単価が設定されたものであるため、ユーザは、低コストとなる電力消費計画（例えば、充電計画）を設定することが可能となる。従って、余剰電力を有効利用することができる。
【０１０７】
また、需要家ＥＭＳ４０から集約した需給予測に基づいて需給調整計画が設定されるため、適正な需給調整計画を設定することができる。このため、需要と供給とのバランスを良好に維持することができる。また、需要家群のピーク電力を下げることができるため、小売電気事業者６０が保有する地域発電装置８０の規模の縮小、あるいは、大規模化の抑制を図ることができる。
【０１０８】
また、余剰電力が発生している需要家群と電力不足が発生している需要家群とが同時に存在する場合には、余剰電力が発生している需要家群の負担が、電力不足が発生している需要家群の負担よりも軽くなるように配分比が設定される。従って、需要家群間において公平性を保つことができ、ユーザの不満をできるだけ発生させないようにすることができる。また、ユーザは、需要量を減らそうと積極的に節電行動をとるようになる。これに伴って、自然エネルギーを利用した発電装置、および、発電電力を蓄電する蓄電装置が普及する。
【０１０９】
ところで、各需要家の需給予測を集約して需給調整計画を設定するというシステムを構築した場合には、コミュニティの規模が拡大して需要家ＥＭＳ４０の数が増加すると、通信ネットワークも拡大され、通信タイムラグが大きくなるという問題が懸念される。これに対して、本実施形態の電力需給調整システムにおいては、ＣＥＭＳを階層化して備えており、需要家ＥＭＳ４０の需給予測を複数の下位ＣＥＭＳ７０に分担させて集約し、更に、各下位ＣＥＭＳ７０で集約した需給予測を上位ＣＥＭＳ９０で集約するようにシステム構成されている。従って、需給予測演算に係る時間を短縮することができ、結果として、最終的な需給調整計画が設定されてユーザに反映されるまでの時間を短縮することができる。
【０１１０】
需給調整計画（電力単価の調整）によって電力需給の変化する応答特性は、需要家種別によって異なる。また、電力需給の変化する量は、需要家数に比例する。そこで、本実施形態においては、下位ＣＥＭＳ７０が、自身の管理する需要家群における需要家種別ごとの需要家ＥＭＳの件数と、需要家種別ごとの平均応答係数とを表す需要家情報を上位ＣＥＭＳ９０に送信する。従って、上位ＣＥＭＳ９０は、この需要家種別ごとに需給調整量に対する電力需給の応答量を適正に予測することができ、適正な需給調整計画を設定することができる。また、上位ＣＥＭＳ９０は、下位ＣＥＭＳ７０から各需要家群の需要家情報を受信するようにしているため、需要家ＥＭＳの件数、あるいは、平均応答係数が変動した場合でも、需給調整に係る演算負荷が重くならない。
【０１１１】
また、需給調整計画（電力単価の調整）によって電力需給の変化する応答特性は、時間帯によっても需要家種別ごとに異なる。そこで、本実施形態においては、上位ＣＥＭＳ９０が、需要家種別に分けて時間帯ごとの応答度合を表す時間帯係数を予め設定し、この時間帯係数を使って需給調整計画を行う。このため、一層、適正な需給調整計画を設定することができる。
【０１１２】
また、本実施形態においては、上位ＣＥＭＳ９０が、電力単価の調整額（需給調整量）を下位ＣＥＭＳ７０に配分するが、その配分量は、下位ＣＥＭＳ７０によって予測された需給量の合計値（総需給予測量）に変換係数αと配分係数Ｋ１，Ｋ２を乗算して算出される。この配分件数Ｋ１，Ｋ２は、予め設定した負担係数ｙ１，ｙ２と、ＣＥＭＳ応答係数ｚ１，ｚ２から演算されるものである。従って、上位ＣＥＭＳ９０の演算負荷が少ない。
【０１１３】
このように、本実施形態によれば、総需給予測量、需要家種別ごとの需要家件数、および、需要家種別ごとの応答特性（需要家平均応答係数、時間帯係数）を用いて需給調整計画を行うため、高精度な需給調整を実施することができる。
【０１１４】
以上、本実施形態に係る電力需給調整システムについて説明したが、本発明は上記実施形態に限定されるものではなく、本発明の目的を逸脱しない限りにおいて種々の変更が可能である。
【０１１５】
例えば、本実施形態においては、１時間毎の一日分の需給調整計画を設定するが、需給調整計画は、１時間よりも長いあるいは短いスパンで設定されるものであってもよい。また、計画期間は、１日分である必要もなく、例えば、１週間分など任意に設定することができる。また、需給調整計画を設定する周期は、計画期間よりも短くても良く、例えば、１時間毎に１日分の需給調整計画を設定更新するようにしてもよい。
【０１１６】
また、本実施形態においては、発電事業者１０が独立して設けられているが、独立した発電事業者１０を設けずに、例えば、各小売電気事業者６０に設けた地域発電装置８２の出力する電力だけで電力供給をまかなう電力系統を構築することもできる。
【０１１７】
また、本実施形態においては、電力単価を表すインセンティブ情報をユーザに提供して、ユーザの電力消費行動をコントロールしているが、ユーザに提供するインセンティブ情報は、電力単価に限らず、サービスポイントを用いても良い。また、電力消費行動をユーザ直接的に指示するメール、音声アナウンス、表示などの需給調整案内を用いてもよい。
【０１１８】
また、需給調整は、ユーザの電力消費行動を変化させるものに限るものではなく、需要家ＥＭＳ４０で管理される電気負荷の作動を強制的に制御する制御指令信号を需要家ＥＭＳ４０に送信する構成であってもよい。例えば、上位ＣＥＭＳ９０は、ステップＳ２１において演算した時間帯毎の総需給予測電力量Ｐ（全需要家群のトータルの引込量と余剰量との予測値）を上述した配分係数Ｋ１，Ｋ２を使って第１需要家群３１と第２需要家群３２とに配分する。そして、上位ＣＥＭＳ９０は、第１需要家群３１に配分した配分電力量（Ｐ×Ｋ１）を表す情報を第１下位ＣＥＭＳ７１に送信し、第２需要家群３２に配分した配分電力量（Ｐ×Ｋ２）を表す情報を第２下位ＣＥＭＳ７２に送信する。この配分電力量（Ｐ×Ｋ１，Ｐ×Ｋ２）は、総需給予測電力が引込量を表している場合には、負の値が設定されて削減すべき消費電力量を表し、総需給予測電力が余剰量を表している場合には、正の値が設定されて増加すべき消費電力量を表す。
【０１１９】
第１下位ＣＥＭＳ７１は、配分電力量（Ｐ×Ｋ１）を表す情報を各第１需要家ＥＭＳ４１に送信する。同様に、第２下位ＣＥＭＳ７２は、配分電力量（Ｐ×Ｋ２）を表す情報を各第２需要家ＥＭＳ４２に送信する。第１需要家ＥＭＳ４１および第２需要家ＥＭＳ４２は、配分電力量に応じて予め決められている需要家３０内の電気負荷の作動を制御する。尚、配分電力量は、需要家群３１，３２に配分された電力量であるため、各需要家３０で調整される消費電力量を表しているわけではない。各需要家３０で調整される消費電力量は、配分電力量の大きさに応じて予め決められている。
【０１２０】
例えば、各需要家ＥＭＳ４０においては、負の配分電力量が指令された場合には、作動の制限される電気負荷、および、その優先順位が設定されており、配分電力量に応じて決められている電力量だけ消費電力量が削減されるように、優先順位に従って電気負荷の作動が制限される。この電気負荷としては、照明器具、空調機などを設定するとよい。
【０１２１】
また、各需要家ＥＭＳ４０においては、正の需要家配分電力量が指令された場合には、作動の開始される電気負荷、および、その優先順位が設定されており、配分電力量に応じて決められている電力量だけ消費電力量が増加されるように、優先順位に従って電気負荷の作動が開始される。例えば、充電装置を作動させて消費電力量を増加させるようにするとよい。
【０１２２】
また、本実施形態においては、需要家種別の例として、ＨＥＭＳ，ＢＥＭＳ，ＦＥＭＳ，ＭＥＭＳの４種類を挙げているが、需要家種別は、これに限るものではなく、例えば、車両用の外部充電スタンド等の電力供給施設を含んでいてもよい。
【符号の説明】
【０１２３】
３０…需要家、３１…第１需要家群、３２…第２需要家群、４１…第１需要家電力管理装置（第１需要家ＥＭＳ）、４２…第２需要家電力管理装置（第２需要家ＥＭＳ）、６０…小売電気事業者、６１…第１小売電気事業者、６２…第２小売電気事業者、７１…第１下位地域電力管理装置（第１下位ＣＥＭＳ）、７２…第２下位地域電力管理装置（第２下位ＣＥＭＳ）、８０…地域発電装置、８１…地域蓄電装置、９０…上位地域管理装置（上位ＣＥＭＳ）、Ｃ１，Ｃ２…電力単価。
【図１】
2016046922.tif 000007
【図２】
2016046922.tif 000008
【図３】
2016046922.tif 000009
【図４】
2016046922.tif 000010
【図５】
2016046922.tif 000011
【図６】
2016046922.tif 000012
【図７】
2016046922.tif 000013